(57)【要約】      （修正有）【課題】発光ダイオードを用いた表示灯であって、簡易に、長期にわたり安定的に光表示させることができる使い勝手のよい表示灯を提供する。【解決手段】表示灯は、複数個の発光ダイオード１１と、発光ダイオード１１からの光を反射放出する光反射部材２と、太陽電池３と、太陽電池３により充電される蓄電部４と、蓄電部４を電源として発光ダイオード１１の点灯消灯制御を行う制御部５により構成する。【選択図】図９
0003149986.tif 000002
【実用新案登録請求の範囲】
【請求項１】
環状に配列された複数個の発光ダイオードと、
該発光ダイオードからの光を反射放出する光反射部材と、
太陽電池と、
該太陽電池により充電される蓄電部と、
該蓄電部を電源として前記発光ダイオードの点灯消灯制御を行う制御部と
を含んでいることを特徴とする表示灯。
【請求項２】
前記制御部は前記複数個の発光ダイオードをそれら全体として回転灯様に発光するように個々の発光ダイオードの順次点灯消灯制御を行える制御部である請求項１記載の表示灯。
【請求項３】
前記複数個の発光ダイオードは光軸を上方へ向けて発光ダイオード基板上に環状に配列されており、前記光反射部材は、該環状配列発光ダイオード群の内側で該基板から立ち上がり該発光ダイオードの上方へ拡開する、発光ダイオードに向けられた光反射面を有する部材であり、
前記太陽電池は該光反射部材の頂部に保持されており、
前記制御部は該基板に設けられており、
前記蓄電部は該基板の下側に配置されて該基板に支持されており、
前記発光ダイオード、発光ダイオード基板、光反射部材、太陽電池、制御部及び蓄電部は放光ユニットを構成しており、
該放光ユニットはケースに内蔵されている請求項１又は２記載の表示灯。
【請求項４】
前記ケースは、前記太陽電池を覆う透明蓋体と、該蓋体が取り外し可能に螺着される台ケースとを含み、前記放光ユニットは該透明蓋体の内壁に取り付けられており、該台ケースは、少なくとも前記発光ダイオード及び光反射部材に臨む部分が透光性を有している請求項３記載の表示灯。
【請求項５】
前記光反射部材は、前記環状配列発光ダイオードの内側で発光ダイオード基板から立ち上がる多角柱部と該多角柱部の上端から該発光ダイオードの上方へ拡開する倒立頭載多角錐体部とを含んでおり、該多角柱部の発光ダイオードに向けられた複数の平坦外面からなる外周面及び倒立頭載多角錐体部の発光ダイオードに向けられた複数の平坦外面からなる外周面が前記発光ダイオードに向けられた光反射面を提供している請求項３又は４記載の表示灯。
【請求項６】
前記制御部は、前記発光タイオードを前記回転灯様に発光させる状態又は該発光ダイオードを繰り返し点滅させる状態に設定するための切替えスイッチを含んでおり、該切替えスイッチで設定された状態に発光ダイオードの点灯消灯制御を行える請求項１から５のいずれかに記載の表示灯。
【請求項７】
前記制御部は前記太陽電池出力に基づいて該太陽電池に対する照度を検出する照度検出回路を含んでおり、該照度検出回路は該回路で検出される太陽電池に対する照度が予め定めた照度以下になってくると、前記発光ダイオード点灯消灯制御を許可する請求項１から６のいずれかに記載の表示灯。
【請求項８】
前記制御部は前記蓄電部の出力可能電圧を検出して該検出情報を前記照度検出回路へ入力する蓄電部電圧検出回路を含んでおり、前記照度検出回路は、該蓄電部電圧検出回路から入力される前記蓄電部の出力可能電圧情報を受け、該出力可能電圧が予め定めた基準電圧以下では、該照度検出回路で検出される太陽電池に対する照度が予め定めた第１照度以下になると、前記発光ダイオード点灯消灯制御を許可し、該出力可能電圧が予め定めた基準電圧より高いときは、該照度検出回路で検出される太陽電池に対する照度が前記第１照度より大きい予め定めた第２照度以下になると、前記発光ダイオード点灯消灯制御を許可する請求項７記載の表示灯。
【請求項９】
前記蓄電部はコンデンサ型蓄電部を含んでいる請求項１から７のいずれかに記載の表示灯。
【考案の詳細な説明】
【技術分野】
【０００１】
本考案は、各種分野において使用できる表示灯に関する。
【背景技術】
【０００２】
表示灯は種々のタイプのものが知られているが、その中に、光源として発光ダイオードを用い、該発光ダイオードを複数個配列して個々の発光ダイオードを点灯消灯制御して所望の光表示を行える表示灯がある。
【０００３】
例えば、特開平４−７３８０２号公報には、複数個の発光ダイオードを第１及び第２の２グループに分け、そのうち第１グループの発光ダイオードは光軸を上方へ向けてリング状に配列し、第２グループの発光ダイオードは光軸を水平方向に外側へ向けてリング状且つ放射状に、さらに第１グループの発光ダイオードの外側に配列し、第１グループの発光タイオードから発散された光束を水平方向に放射状に反射する放物面鏡を設け、各発光ダイオードを制御回路の制御のもとに点滅させることで回転灯の如く光表示する表示灯が記載されている。
【先行技術文献】
【特許文献】
【０００４】
【特許文献１】特開平４−７３８０２号公報
【考案の概要】
【考案が解決しようとする課題】
【０００５】
しかしながら、このように光源として発光ダイオードを用い、該発光ダイオードを複数個配列して個々の発光ダイオードを点灯消灯制御して所望の光表示を行えるタイプの従来の表示灯は、外部電源或いは乾電池等の電池を用いて駆動するものである。
【０００６】
そのため、外部電源に接続して用いるタイプの表示灯では、外部電源が無い所では使用できず、外部電源のある所でも、外部電源への接続コードを必要とするなど、煩わしい作業が要求された。
【０００７】
電池で駆動するタイプの表示灯では、電池の消耗により駆動できなくなり、電池の管理、交換が要求されるという煩わしさがあるばかりか、電池消耗により駆動し得なくなった状態を知らずに放置すると、その表示灯が例えば警告灯であると、表示灯の不作動により何らかの危険を招くといった恐れもあった。
【０００８】
そこで本考案は、光源として発光ダイオードを用い、該発光ダイオードを複数個配列して個々の発光ダイオードを点灯消灯制御して光表示を行えるタイプの表示灯であって、簡易に、長期にわたり安定的に光表示させることができる使い勝手のよい表示灯を提供することを課題とする。
【課題を解決するための手段】
【０００９】
前記課題を解決するため本考案は、
環状に配列された複数個の発光ダイオードと、
該発光ダイオードからの光を反射放出する光反射部材と、
太陽電池と、
該太陽電池により充電される蓄電部と、
該蓄電部を電源として前記各発光ダイオードの点灯消灯制御を行う制御部と
を含んでいる表示灯を提供する。
【００１０】
本考案に係る表示灯は、光源として発光ダイオードを用い、該発光ダイオードを複数個配列して個々の発光ダイオードを点灯消灯制御して光表示を行えるタイプの表示灯であるが、太陽電池と、それにより充電される蓄電部を備えており、発光ダイオードは、該太陽電池により充電される蓄電部を電源として点灯消灯制御される。
【００１１】
従って、本考案に係る表示灯は、外部電源の無い所でも使用でき、また、外部電源へ接続するコードも不要であるから、それだけ簡易に使用することができる。また、本考案に係る表示灯は、その蓄電部が太陽電池で充電されるので、それだけ長期にわたり安定的に用いることができる。これらにより、本考案に係る表示灯は、簡易に、長期にわたり安定的に光表示させることができ、使い勝手がよい。
【００１２】
前記制御部は、代表例として、前記複数個の発光ダイオードがそれら全体として回転灯様に発光するように個々の発光ダイオードを順次点灯消灯制御できるものを挙げることができる。
【００１３】
このように、本考案に係る表示灯は、発光ダイオードが全体として回転灯様に発光する表示灯とすることで、工事現場、駐車場等の人々の注意を喚起しなければならない様々の場所や場面で簡易に用いることができる、長期にわたり安定的に作動する警告灯などとして利用できる。
【００１４】
発光ダイオード等の要部は、まとめて放光ユニットとしておけば、表示灯のコンパクト化、組み立て作業の容易化などの点で有利である。
そこで、次のように放光ユニットを構成してもよい。
【００１５】
すなわち、
前記複数個の発光ダイオードは光軸を上方へ向けて発光ダイオード基板上に環状に配列されており、前記光反射部材は、該環状配列発光ダイオード群の内側で該基板から立ち上がり該発光ダイオードの上方へ拡開する、発光ダイオードに向けられた光反射面を有する部材であり、
前記太陽電池は該光反射部材の頂部に保持されており、
前記制御部は該基板に設けられており、
前記蓄電部は該基板の下側に配置されて該基板に支持されているようにし、
これら発光ダイオード、発光ダイオード基板、光反射部材、太陽電池、制御部及び蓄電部が放光ユニットを構成するように設定する。
この放光ユニットはケースに内蔵することができる。
【００１６】
前記放光ユニットを収めるケースとしては、表示灯のコンパクト化、組み立ての容易化等のために、例えば、前記太陽電池を覆う透明蓋体と、該蓋体が取り外し可能に螺着される台ケースとを含み、前記放光ユニットは該透明蓋体の内壁に取り付けられており、該台ケースは、少なくとも前記発光ダイオード及び光反射部材に臨む部分が透光性を有しているものを挙げることかできる。
【００１７】
前記光反射部材のさらに具体例として、前記環状配列発光ダイオードの内側で発光ダイオード基板から立ち上がる多角柱部と該多角柱部の上端から該発光ダイオードの上方へ拡開する倒立頭載多角錐体部とを含んでおり、該多角柱部の発光ダイオードに向けられた複数の平坦外面からなる外周面及び倒立頭載多角錐体部の発光ダイオードに向けられた複数の平坦外面からなる外周面が前記発光ダイオードに向けられた光反射面を提供しているものを挙げることができる。
【００１８】
本考案に係る表示灯を多様に光表示できるものとするために、例えば、前記制御部は、前記発光タイオードを前記回転灯様に発光させる状態又は該発光ダイオードを繰り返し点滅させる状態に設定するための切替えスイッチを含んでおり、該切替えスイッチで設定された状態に発光ダイオードの点灯消灯制御を行うものとしてもよい。
【００１９】
また、前記制御部には、例えば、前記太陽電池出力基づいて該太陽電池に対する照度を検出する照度検出回路を含め、該照度検出回路は該回路で検出される太陽電池に対する照度が予め定めた照度以下になってくると、前記発光ダイオード点灯消灯制御を許可するようにしてもよい。
また、制御部に、前記蓄電部の出力可能電圧を検出して該検出情報を前記照度検出回路へ入力する蓄電部電圧検出回路を含め、前記照度検出回路は、該蓄電部電圧検出回路から入力される前記蓄電部の出力可能電圧情報を受け、該出力可能電圧が予め定めた基準電圧以下では、該照度検出回路で検出される太陽電池に対する照度が予め定めた第１照度以下になると、前記発光ダイオード点灯消灯制御を許可し、該出力可能電圧が予め定めた基準電圧より高いときは、該照度検出回路で検出される太陽電池に対する照度が前記第１照度より大きい予め定めた第２照度以下になると、前記発光ダイオード点灯消灯制御を許可するようにしてもよい。
【００２０】
前記蓄電部は、ニッケル水素電池等の充放電可能の２次電池でもよいが、長期にわたり使用できる耐久性に富むコンデンサ型の蓄電部を採用してもよい。双方を併用してもよい。
【考案の効果】
【００２１】
以上説明したように本考案によると、光源として発光ダイオードを用い、該発光ダイオードを複数個配列して個々の発光ダイオードを点灯消灯制御して光表示を行える表示灯であって、簡易に、長期にわたり安定的に光表示させることができる使い勝手のよい表示灯を提供することができる。
【図面の簡単な説明】
【００２２】
【図１】本考案に係る表示灯の１例の正面図である。
【図２】図１の表示灯の右側面図である。
【図３】図１の表示灯の左側面図である。
【図４】図１の表示灯の平面図である。
【図５】図１の表示灯の底面図である。
【図６】ケース蓋体に放光ユニットを取り付けた状態の正面図である。
【図７】ケース蓋体に放光ユニットを取り付けた状態の底面図である。
【図８】放光ユニットの平面図である。
【図９】図４のＸ−Ｘ線に沿う断面図である。
【図１０】発光ダイオードの点灯消灯制御を行う制御部の回路を示すブロック図である。
【考案を実施するための形態】
【００２３】
以下本考案に係る表示灯の例について図面を参照して説明する。
図１〜図５及び図９は本考案に係る表示灯の１例（表示灯Ａ）を全体的に示している。図１は正面図、図２は右側面図、図３は左側面図、図４は平面図、図５は底面図であり、図９は図４のＸ−Ｘ線に沿う断面図である。
【００２４】
表示灯Ａは放光ユニットＵとこれを収容するケース６とを含んでいる。
放光ユニットＵは、
発光ダイオード基板１と、                                                        発光ダイオード基板１に環状に配列された８個の発光ダイオード１１と、
該発光ダイオードからの光を反射放出する光反射部材２と、
太陽電池３と、
太陽電池３により充電される蓄電部４と、
蓄電部４を電源として各発光ダイオードの点灯消灯制御を行う制御部５と
を含んでいる。
【００２５】
放光ユニットＵにおける各発光ダイオードは、所謂砲弾形のもので、光軸が上方を向いており、基板１に等中心角度間隔（本例では４５度間隔）で８個立設されている。
光反射部材２は、環状配列発光ダイオード１１群の内側で発光ダイオード基板１から立ち上がる多角柱部２１と、該多角柱部の上端から発光ダイオード１１の上方へ拡開する倒立頭載多角錐体部２２とを含んでいる。倒立頭載多角錐体部２２の頂部には太陽電池保持部２３が設けられている。これら部分２１、２２及び２３は一体的に連設されている。
【００２６】
多角柱部２１は発光ダイオード１１に向けられた１６面の平坦外面２１１からなる外周面を有しており、この外周面は発光ダイオードからの光を表示灯の外方向へ反射する光反射面に形成されている。
【００２７】
倒立頭載多角錐体部２２も発光ダイオード１１に向けられた１６面の平坦外面２２１からなる外周面を有しており、この外周面も発光ダイオードからの光を表示灯の外方向へ反射する光反射面に形成されている。
【００２８】
多角柱部２１におけるそれぞれの平坦光反射外面２１１が倒立頭載多角錐体部２２の一個の平坦光反射外面２２１に対応しており、互いに対応する両光反射面２１１、２２１が屈曲連続している。
【００２９】
太陽電池３は前記の太陽電池保持部２３に保持されている。
保持部２３は、図７及び図８に示すように、１２０度の中心角度間隔で放射状に突出するアーム部２３１を備えている。
蓄電部４は基板１の下側に配置され、基板１に支持されている。
蓄電部４は本例では放充電可能の２次電池である２本のニッケル水素電池からなっている。蓄電部４はこのような電池より長期にわたり使用できる耐久性に富むコンデンサタイプの蓄電部でもよい。両者を併用してもよい。
【００３０】
制御部５は基板１に設けられている。制御部５は、図６及び図９に示すように、基板１に搭載された、表示灯Ａをオン・オフするスイッチＳＷ１及び発光ダイオードを回転灯様の状態に点灯消灯させるか、繰り返し点滅状態に点灯消灯させるかを切り替える切替えスイッチＳＷ２を含んでいる。制御部５については図１０を参照して後ほど詳述する。
【００３１】
以上説明したように、発光ダイオード等の要部が、まとめて放光ユニットＵとされており、それだけ表示灯Ａのコンパクト化、組み立て作業の容易化などの点で有利である。
【００３２】
ケース６は、透明合成樹脂からなる蓋体６１と、この蓋体を取り外し可能に螺着できる透光性の合成樹脂からなる台ケース６２とからなっている。
蓋体６１はその下端開口内周部に雌ねじ６１１を有している。台ケース６２はその上端開口外周部に雄ねじ６２１を有している。蓋体６１はこれらねじ６１１、６２１で台ケース６２に取り外し可能に螺着できる。蓋体６１と台ケース６２との間には液密シール用の弾性シールリングＲが嵌められている。
【００３３】
放光ユニットＵは、太陽電池保持部２３のアーム部２３１の部分で蓋体６１の内壁にネジ止めされている。さらに言えば、蓋体６１の内壁に一体的に形成されたねじ係合部６１２にネジ止めされている。かくして、放光ユニットＵと蓋体６１が一体的に取り扱えるようにコンパクトにまとめられており、表示灯Ａの組み立て時に取り扱いやすく、それだけ表示灯組み立て作業が容易になっている。
【００３４】
台ケース６２は図５及び図９に示すように、下面に磁石６２２を有しており、この磁石で表示灯Ａを表示灯取付け対象部材の磁石吸着可能部位に取り付けることができる。また、図２、図３、図５等に示すように、台ケース６２は左右裾部に止めねじ通し孔６２３及び止めねじ通し凹所６２４を備えており、これらを利用して表示灯取付け対象部材にねじ止めすることもできる。
【００３５】
図１０は基板１に設けられている制御部５の回路を示すブロック図である。
図１０に示すように、制御部５は、発光ダイオード１１の点灯消灯制御を行う主たる部分であるマイクロコンピュータＣを含んでいる。個々の発光ダイオードはコンピュータＣの指示のもとに動作する駆動回路５５により点灯消灯される。
【００３６】
制御部５はさらに、太陽電池１からの出力で蓄電部４に充電するにあたり電圧調整を行ったり、蓄電部４からの出力電圧を調整したりする電圧調整回路５１、表示灯Ａをオンオフ操作する既述のスイッチＳＷ１、蓄電部４から電圧調整回路５１及びスイッチＳＷ１を経て供給される電力に基づいてマイクロコンピュータＣや発光ダイオード駆動回路５５等へ定電圧出力を行う定電圧回路５２、発光ダイオード１１を回転灯様に点灯消灯制御するのか、繰り返し点滅状態に点灯消灯制御するのかをコンピュータＣに設定するための切替えスイッチＳＷ２を含んでいる。
【００３７】
制御部５はさらに、太陽電池１周囲の明るさ、換言すれば、太陽電池１に対する照度を検出する照度検出回路５３及び蓄電部４の出力可能電圧を検出する蓄電部電圧検出回路５４を含んでいる。照度検出回路５３は太陽電池１からの出力に基づいて太陽電池１に対する照度を検出し、その情報を定電圧回路５２及びマイクロコンピュータＣへ入力する。
【００３８】
この制御部５によると、蓄電部３が太陽電池出力に基づいて充電され、スイッチＳＷ１がオン（閉成）されている状態で、表示灯Ａの周囲が暗くなってきて、太陽電池１への照度が予め定めた第１照度以下になってくると、そしてそのとき回路５４で検出される蓄電部４の出力可能電圧が予め定めた基準電圧以下であると、照度検出回路５３がこれを検出し、その検出情報をコンピュータＣ及び定電圧回路５２に入力する。
【００３９】
すると定電圧回路５２は定電圧出力許可状態となり、発光ダイオード１１群が、ンピュータＣの指示のもとに、切替えスイッチＳＷ２で設定された回転灯様の状態に、又は繰り返し点滅状態に点灯消灯制御される。
【００４０】
ここで、８個の発光ダイオード１１について、上方からみて時計方向まわりに、Ｌ１、Ｌ２、Ｌ３、Ｌ４、Ｌ５、Ｌ６、Ｌ７、Ｌ８と順次命名したとする。すると、回転灯様制御においては、例えば、発光ダイオードＬ１が点灯すると、予め定めた時間間隔をおいてその隣の発光ダイオードＬ２が点灯する一方、発光ダイオードＬ１が消灯し、さらに予め定めた時間間隔をおいて発光ダイオードＬ２の隣の発光ダイオードＬ３が点灯する一方、発光ダイオードＬ２が消灯するというように、各発光ダイオードが順次点灯消灯していき、全体として発光ダイオードＬ１〜Ｌ８が回転灯様に点灯消灯する。
【００４１】
回転灯様制御においては、例えば、発光ダイオードＬ１とその隣の発光ダイオードＬ２とが同時に点灯し、予め定めた時間間隔をおいて発光ダイオードＬ２とその隣の発光ダイオードＬ３とが同時点灯する一方、発光ダイオードＬ１が消灯し、さらに予め定めた時間間隔をおいて、発光ダイオードＬ３とその隣の発光ダイオードＬ４とが同時点灯する一方、発光ダイオードＬ２が消灯するというように、順次隣り合う複数個の発光ダイオードのグループでもって順次点灯消灯していき、全体として発光ダイオードが回転灯様に点灯消灯してもよい。このように、回転灯様制御は様々に行える。要するに、全体として回転灯様に点灯消灯制御できればよい。
【００４２】
繰り返し点滅制御では、本例では、各発光ダイオードが一斉に点灯消灯を繰り返す。
【００４３】
以上説明したように発光ダイオード１１は点灯消灯制御されるのであるが、蓄電部４の出力可能電圧が予め定めた基準電圧より高い場合には、そのことが蓄電部電圧検出回路５４にて検出される。この情報は照度検出回路５３へ入力され、回路５３は太陽電池３への照度が前記第１照度より大きい予め定めた第２照度以下になった段階で（換言すれば、太陽電池３周囲がより明るい段階で）、定電圧回路５２に対し出力許可する。かくして、発光ダイオード１１群が、ンピュータＣの指示のもとに、切替えスイッチＳＷ２で設定された回転灯様の状態に、又は繰り返し点滅状態に点灯消灯制御される。
【００４４】
なお、表示灯Ａには、人の接近動作等を感知する赤外線センサ等の焦電センサ５６を接続し、焦電センサ５６が人等の接近動作等を感知したときにも放光ユニットＵが動作するようにしてもよい。
【００４５】
以上説明したように、表示灯Ａは、光源として発光ダイオード１１を用い、個々の発光ダイオードを点灯消灯制御して所望の光表示を行えるタイプの表示灯であるが、太陽電池３と、それにより充電される蓄電部４を備えており、発光ダイオード１１は、蓄電部４を電源として点灯消灯制御される。
【００４６】
従って、表示灯Ａは、外部電源の無い所でも使用でき、また、外部電源へ接続するコードも不要であるから、それだけ簡易に使用することができる。また、表示灯Ａは、その蓄電部４が太陽電池３で充電されるので、それだけ長期にわたり安定的に用いることができる。これらにより、表示灯Ａは、簡易に、長期にわたり安定的に用いることができ、使い勝手がよい。
【００４７】
表示等Ａは、様々に用いることができる。例えば、発光ダイオード１１の点灯消灯が発光ダイオード全体として回転灯様に発光するように制御される表示灯とすることで、工事現場、駐車場等の人々の注意を喚起しなければならない様々の場所や場面で簡易に用いることができる、そして長期にわたり安定的に作動する警告灯などとして利用できる。
【産業上の利用可能性】
【００４８】
本考案は各種分野で利用できる表示灯を提供することに利用できる。
【符号の説明】
【００４９】
Ａ  表示灯
Ｕ  放光ユニット
１  発光ダイオード基板
１１  発光ダイオード
２  光反射部材
２１  多角柱部
２１１  平坦外面（光反射面）
２２  倒立頭載多角錐体部
２２１  平坦外面（光反射面）
２３  太陽電池保持部
２３１  アーム部
３  太陽電池
４  蓄電部
５  制御部
ＳＷ１  オンオフスイッチ
ＳＷ２  回転／点滅切替えスイッチ
Ｃ  マイクロコンピュータ
５１  電圧調整回路
５２  定電圧回路
５３  照度検出回路
５４  蓄電部電圧検出回路
５５  発光ダイオード駆動回路
５６  焦電センサ
６  ケース
６１  透明蓋体
６１１  雌ねじ
６１２  ねじ係合部
６２  台ケース
６２１  雄ねじ
６２２  磁石
６２３  ねじ通し孔
６２４  ねじ通し凹所
【図１】
0003149986.tif 000003
【図２】
0003149986.tif 000004
【図３】
0003149986.tif 000005
【図４】
0003149986.tif 000006
【図５】
0003149986.tif 000007
【図６】
0003149986.tif 000008
【図７】
0003149986.tif 000009
【図８】
0003149986.tif 000010
【図９】
0003149986.tif 000011
【図１０】
0003149986.tif 000012